(57)【要約】      （修正有）【課題】陳列する商品の数が減少しても見栄えの良い商品陳列を行うことができる商品陳列用具を提供する。【解決手段】商品列の最前部から一個ずつ商品を取り出し自在とする商品陳列用具である。商品陳列用具は、横線材２２が縦線材２１の前後に配置された状態で横線材の上部に縦線材２１が接合され、縦線材２１の上に商品列が載置される商品支持部材２、商品列の左右の横ずれを規制するサイドガード部材３，３、商品支持部材２の前端部に取り付けられ商品列の前方への移動を規制する前面板６、商品支持部材２に取り付けられ商品列を最後部から前方へ押すスライド板４、スライド板４を前方へ付勢するゼンマイバネ５、商品支持部材２の前後に配置される同一形状の一対の部材であり商品支持部材２とサイドガード部材３，３とを組み付け、ゼンマイバネ５の引張り出し帯片５１の端部を係止可能とするベース部材８，８とを備える。【選択図】図３
0003202584.tif 000002
【実用新案登録請求の範囲】
【請求項１】
商品を前後方向に複数配列する商品列の最前部から一個ずつ商品を取り出し自在とする商品陳列用具であって、
前後方向に延びる縦線材が平行に複数並設されるとともに、縦線材を直交する左右方向に延びる横線材が縦線材の前後に配置された状態で、横線材の上部に縦線材が接合され、縦線材の上に商品列が載置される商品支持部材と、
商品支持部材の左右に配置される一対の部材であって、商品列の左右の横ずれを規制するサイドガード部材と、
商品支持部材の前端部に取り付けられ、商品列の最前部と当接して商品列の前方への移動を規制する前面板と、
前後方向にスライド移動自在に商品支持部材に取り付けられ、商品列を最後部から前方へ押す立設面を有するスライド板と、
スライド板の後面下部に配置され、スライド板を前方へ付勢するゼンマイバネと、
商品支持部材の前後に配置される同一形状の一対の部材であって、商品支持部材と左右のサイドガード部材とを組み付け、ゼンマイバネの引張り出し帯片の端部を係止可能とするベース部材とを備える商品陳列用具。
【請求項２】
請求項１に記載の商品陳列用具において、
商品名や商品価格等の表示のために、前面板の前側に配置される表示面部と、表示面部の下端から後方へ延びる底面部とを有する断面Ｌ字形の表示板を更に備え、
商品支持部材における左右端側に配置される縦線材は、先端部を延長して上方へ折り曲げた折り曲げ部とし、この折り曲げ部に前面板の後面に設ける差込部が差し込まれて前面板が取り付けられており、
サイドガード部材は、商品支持部材の縦線材を直交する左右方向に延びる横棒が前後に設けられ、
ベース部材は、上面には、商品支持部材の縦線材の端部を嵌合する線材嵌合爪と、商品支持部材の横線材を収容する線材収容凹部と、ゼンマイバネの引張り出し帯片端部を係止するバネ係止部とが設けられ、下面には、サイドガード部材の横棒を挿通保持する溝部が設けられ、前後方向を向く一側面には、前面板を係止する係止凸部が設けられ、前後方向を向く他側面には、表示板の底面部がベース部材の下面に配置された状態で底面部の端部と係合する係合部が設けられている商品陳列用具。
【請求項３】
請求項１又は２に記載の商品陳列用具において、
スライド板は、立設面の下端から後方へ延びる底板を有し、この底板には、商品支持部材の各縦線材を包囲する複数のガイド凹部が設けられ、複数のガイド凹部のうちの左右端に配置するガイド凹部には、縦線材に沿って更に後方へ延びるカバー片が設けられ、このスライド板が商品支持部材の縦線材にスライド移動自在に取り付けられており、
スライド板の下部には、ゼンマイバネの引張り出し帯片を挿通させる挿通孔が設けられ、この挿通孔を通して前方へ引張り出されたゼンマイバネの引張り出し帯片の端部が前側のベース部材のバネ係止部に係止され、このゼンマイバネの引張り出し帯片の巻き戻しによりスライド板が前方へ付勢される構成とする商品陳列用具。
【考案の詳細な説明】
【技術分野】
【０００１】
本考案は、百貨店、スーパーマーケット、コンビニエンスストア等の店舗に設置される商品陳列用具に関する。
【背景技術】
【０００２】
従来、この種の商品陳列用具としては、水平な棚板やひな壇状の棚板に商品を載置させるもの（例えば、特許文献１、２）、また、レール部材に多数のフックを設置して各フックに商品を吊り下げるようにして最前部から一個ずつ商品を取り出すもの（例えば、特許文献３）等が知られている。
【先行技術文献】
【特許文献】
【０００３】
【特許文献１】特開２０１２−７０８１５号公報
【特許文献２】実用新案登録第３１４１３８８号公報
【特許文献３】実用新案登録第３１７４２５０号公報
【考案の概要】
【考案が解決しようとする課題】
【０００４】
従来の棚板を設置する商品陳列用具では、棚板の設置に広いスペースを要するうえ、商品の数が少なくなってくると棚板上に商品がまばらに配置されて商品陳列の見栄えが低下してしまう。また、従来の吊り下げ式の商品陳列用具では、手前の商品が取り出されて奥に商品が残されると前からは商品が見えにくくなり、商品陳列の見栄えが低下する。このように、従来の商品陳列用具では、陳列する商品の数が減少すると、商品陳列の見栄えが低下し、これを防ぐために適宜に並べ直したり商品を補充したりする等の手間を要していた。
本考案は、以上の事情に鑑みてなされたものであり、陳列する商品の数が減少しても見栄えの良い商品陳列を行うことができる商品陳列用具を提供することを目的とする。
【課題を解決するための手段】
【０００５】
本考案に係る商品陳列用具は、
商品を前後方向に複数配列する商品列の最前部から一個ずつ商品を取り出し自在とする商品陳列用具であって、
前後方向に延びる縦線材が平行に複数並設されるとともに、縦線材を直交する左右方向に延びる横線材が縦線材の前後に配置された状態で、横線材の上部に縦線材が接合され、縦線材の上に商品列が載置される商品支持部材と、
商品支持部材の左右に配置される一対の部材であって、商品列の左右の横ずれを規制するサイドガード部材と、
商品支持部材の前端部に取り付けられ、商品列の最前部と当接して商品列の前方への移動を規制する前面板と、
前後方向にスライド移動自在に商品支持部材に取り付けられ、商品列を最後部から前方へ押す立設面を有するスライド板と、
スライド板の後面下部に配置され、スライド板を前方へ付勢するゼンマイバネと、
商品支持部材の前後に配置される同一形状の一対の部材であって、商品支持部材と左右のサイドガード部材とを組み付け、ゼンマイバネの引張り出し帯片の端部を係止可能とするベース部材とを備えるものである。
これにより、最前部の商品が抜き取られるとゼンマイバネで付勢されているスライド板により商品列を前方へ自動的に移動させることができる。また、商品陳列用具の各部をパーツ化し、一対のベース部材により組み付ける構成とすることができる。
【考案の効果】
【０００６】
本考案に係る商品陳列用具によれば、最前部の商品が抜き取られると商品列を前方へ自動的に移動させるので、陳列する商品の数が減少しても常に前面に商品が配置されるから、見栄えの良い商品陳列を行うことができ、且つ商品の整理の手間を省くことができる。また、商品陳列用具の各部がパーツ化され、一対のベース部材により組み付ける構成とするので、製造、組立てが容易な商品陳列用具を提供することができる。
【図面の簡単な説明】
【０００７】
【図１】実施形態の商品陳列用具により売り場にて商品陳列した状態を示す模式図である。
【図２】実施形態の商品陳列用具を示す斜視図である。
【図３】実施形態の商品陳列用具を示す分解斜視図である。
【図４】スライド板を後側から見た状態を示す斜視図である。
【図５】ベース部材を示す図であり、同図（ａ）は上面図、同図（ｂ）は下面図である。
【図６】実施形態の商品陳列用具を一部断面した側面図である。
【考案を実施するための形態】
【０００８】
以下に、本考案の実施形態について図面を参照しながら説明する。
本実施形態の商品陳列用具１は、例えば、スーパーマーケット、コンビニエンスストア、百貨店等の食品売り場に設置されるが、これらの売り場に限らず使用することができる。
例えば、図１に示すように、商品陳列用具１は、スーパーマーケットの食品売り場において、パック詰めの商品Ｓ（例えば、サラダ）を立てた状態で前後方向に複数配列する商品列ＳＬの状態で載置して使用され、これを左右方向（横方向）に並べるとともに上下方向にも並べて陳列される。この場合、商品陳列用具１は、商品列ＳＬの最前部から一個ずつ商品Ｓを上方へ抜き取って取り出し自在とするので、上下に配設された商品陳列用具１において下段のものは、上段のものよりも前方へ突出させている。
【０００９】
図２、図３に示すように、商品陳列用具１は、商品支持部材２と、左右のサイドガード部材３と、前面板６と、表示板７と、スライド板４と、ゼンマイバネ５と、一対のベース部材８とから構成されている。
【００１０】
商品支持部材２は、商品列ＳＬが載置されるものであって線材で構成されている。商品支持部材２は、前後方向に延びる長尺の縦線材２１が平行に４本（複数本）並設されるとともに、縦線材２１を直交する左右方向に延びる短尺の横線材２２が縦線材２１の前後に１本ずつ配置された状態で、前後の横線材２２の上部に各縦線材２１が溶接等で接合され、縦線材２１の上に商品列ＳＬが載置される。
【００１１】
サイドガード部材３は、商品支持部材２に載置された商品列ＳＬの左右の横ずれを規制するものであって、商品支持部材２の左右に配置される一対の鈑金部材である。サイドガード部材３は、Ｌ字状に曲げた線材を下部の前後に溶接等で接合され、この線材がサイドガード部材３を立設した状態で商品支持部材２の縦線材２１を直交する左右方向に延びる横棒３１を構成する。なお、サイドガード部材３は、鈑金部材に限らず、線材で構成してもよく、この場合、例えば、線材を門型に折り曲げ形成するとともに、その前後端部を横方向に折り曲げて横棒３１とすることにより、一体に構成することができる。
【００１２】
前面板６は、商品支持部材２の前端部に取り付けられて、商品列ＳＬの最前部と当接して商品列ＳＬの前方への移動を規制するものである。前面板６の商品支持部材２への取付けは、次のようになっている。すなわち、前面板６は、後面の左右端部に開口穴が下方へ臨む差込部６１が設けられており、一方、商品支持部材２は、４本の縦線材２１のうち左右端側に配置される２本の縦線材２１が先端部を延長して上方へ折り曲げた折り曲げ部２１ａとされており、この左右の折り曲げ部２１ａに前面板６の後面に設ける差込部６１が差し込まれることにより、前面板６が商品支持部材２に取り付けられている。また、前面板６の下端部には、ベース部材８と係合する切欠き部６２が設けられている。
【００１３】
表示板７は、商品名や商品価格等の表示のために使用されるものである。表示板７は、立設する表示面部７１と、表示面部７１の下端から後方へ延びる底面部７２とを有する断面Ｌ字形に形成されている。表示板７は、底面部７２の後端が上方へ折り返した係合舌片７３となっており、この底面部７２を前側のベース部材８の下面に配置させて係合舌片７３を前側のベース部材８の係合部８６に係合させて取り付けられることにより、表示面部７１が前面板６の前側に配置される。表示面部７１には、前面側に上辺と下辺に全長にわたってレール状舌片７４が形成されており、これら上下のレール状舌片７４間に商品名や商品価格等を表示したカードｋを横から差し入れて挟持するように構成されている。
【００１４】
図４も参照して、スライド板４は、前後方向にスライド移動自在に商品支持部材２に取り付けられ、その立設面４１により商品列ＳＬを最後部から前方へ押すように構成されている。スライド板４の商品支持部材２への取付けは、次のようになっている。すなわち、スライド板４は、立設面４１の下端から後方へ延びる底板４２を有してＬ字型に構成され、底板４２には、商品支持部材２の４本の縦線材２１をそれぞれ包囲する４つ（複数）のガイド凹部４３が設けられ、各ガイド凹部４３内に各縦線材２１を配置させることにより、スライド板４が商品支持部材２の縦線材２１において前後方向にスライド移動自在に取り付けられている。４つのガイド凹部４３のうち内側の２つのガイド凹部４３は下方へ開放する凹部となっており、左右端の２つのガイド凹部４３は外方へ向けて側方へ開放する凹部となっているので、スライド板４が縦線材２１から簡単に脱落することなく取り付けられている。また、左右端に配置する２つのガイド凹部４３には、縦線材２１に沿って更に後方へ延びるカバー片４４が設けられており、これにより、スライド板４が縦線材２１に安定かつ円滑にスライド移動されるように取り付けられている。スライド板４の立設面４１における前面は平坦に構成され、後面には補強用のリブが複数形成されているので、商品列ＳＬを押す際にスライド板４が変形や撓んだりせず商品列ＳＬを確実に前に押し出すことができる。
【００１５】
図６も参照して、ゼンマイバネ５は、スライド板４を前方へ付勢するものである。ゼンマイバネ５は、スライド板４の後面下部に配置され、スライド板４の下部に設ける挿通孔４５からゼンマイバネ５の引張り出し帯片５１が前方へ引張り出され、この引張り出し帯片の端部５１ａが前側のベース部材８のバネ係止部８３に係止されている。これにより、このゼンマイバネ５の引張り出し帯片５１の巻き戻しによりスライド板４が前方へ付勢されるように構成される。なお、図２、図３に示したものでは、ゼンマイバネ５は、スライド板４の中央に１つ配設するが、複数配設してもよい。因みに、図２、図３に示すものでは、スライド板４にはゼンマイバネ５の引張り出し帯片５１を挿通させる挿通孔４５が３つ設けられており、ゼンマイバネ５を３つ配設することもでき、また、左右に２つ配設することもできる。
【００１６】
図５も参照して、ベース部材８は、商品支持部材２の前後に配置される同一形状の一対の部材であり、例えば、樹脂成形品で形成されている。ベース部材８は、上面には、商品支持部材２の縦線材２１の端部を嵌合する線材嵌合爪８１と、商品支持部材２の横線材２２を収容する線材収容凹部８２と、ゼンマイバネ５の引張り出し端部を係止するバネ係止部８３とが設けられ、下面には、サイドガード部材３の横棒３１を挿通保持する溝部８４が２つ設けられている。線材嵌合爪８１は、４本の縦線材２１のうち内側の２本の縦線材２１の嵌合に対応するように内側の２ヶ所に設けられているが、４本すべての縦線材２１の嵌合に対応して４ヶ所に設けるようにしてもよい。ゼンマイバネ５の係止用のバネ係止部８３は、スリット状の孔で構成され、ゼンマイバネ５の引張り出し端部を例えばＺ状に折り曲げ形成してバネ係止部８３に挿通保持させる。このバネ係止部８３は、ゼンマイバネ５を３個取り付けられるように３つ形成されているが、中央に１つ形成するものでもよい。
【００１７】
また、ベース部材８は、前後方向を向く一側面には、前面板６の切欠き部６２と係止する係止凸部８５が設けられ、前後方向を向く他側面には、表示板７の底面部７２がベース部材８の下面に配置された状態で底面部７２端部の係合舌片７３と係合する係合部８６が設けられている。
【００１８】
そして、このベース部材８を前後に配置し、商品支持部材２と左右のサイドガード部材３とを組み付けるようにし、また、前側のベース部材８には、スライド板４の後面に配置するゼンマイバネ５の引張り出し帯片の端部５１ａが係止され、表示板７が組み付けられる。スライド板４と前面板６は、商品支持部材２に取り付けられるので、以上の組み付けによって商品陳列用具１の完成品が簡単に構成される。このように、商品陳列用具１は、商品陳列用具１の各部をパーツ化し、一対のベース部材８により組み付ける構成とされているので、製造、組立てが容易な商品陳列用具１を提供することができる。よって、各部のパーツ部品の交換も容易に行えるので、例えば、商品列ＳＬの長さや幅に対応する商品支持部材２やサイドガード部材３等の交換が容易に行え、商品陳列場所の環境にも容易に対応することができる。
【００１９】
また、この商品陳列用具１によれば、最前部の商品Ｓが抜き取られるとゼンマイバネ５で付勢されているスライド板４により商品列ＳＬを前方へ自動的に移動させることができる。従って、陳列する商品Ｓの数が減少しても常に前面に商品Ｓが配置されるから、見栄えの良い商品陳列を行うことができ、且つ商品Ｓの整理の手間を省くことができる。
【００２０】
なお、本考案は、上記実施形態に限らず、本考案の要旨の範囲内で必要に応じて変更を施すことが可能である。
【符号の説明】
【００２１】
１  商品陳列用具
２  商品支持部材
３  サイドガード部材
４  スライド板
５  ゼンマイバネ
６  前面板
７  表示板
８  ベース部材
２１  縦線材
２１ａ  折り曲げ部
２２  横線材
３１  横棒
４１  立設面
４２  底板
４３  ガイド凹部
４４  カバー片
４５  挿通孔
５１  引張り出し帯片
５１ａ  引張り出し帯片の端部
６１  差込部
６２  切欠き部
７１  表示面部
７２  底面部
７３  係合舌片
７４  レール状舌片
８１  線材嵌合爪
８２  線材収容凹部
８３  バネ係止部
８４  溝部
８５  係止凸部
８６  係合部
Ｓ  商品
ＳＬ  商品列
【図１】
0003202584.tif 000003
【図２】
0003202584.tif 000004
【図３】
0003202584.tif 000005
【図４】
0003202584.tif 000006
【図５】
0003202584.tif 000007
【図６】
0003202584.tif 000008